(57)【要約】【課題】容易に雪氷庫内に雪を搬入することができる雪搬入装置を提供することを課題とする。【解決手段】蓋体９を開けて雪投入口４から雪を投入すると、雪は下り斜面を形成しているシューター本体部７及び分割シューター部８上を滑り落ちて雪氷庫２の底部に搬入される。搬送シューター５を支持する複数の支柱パイプ６はそれぞれジャッキ式で高さ調整可能な構造を有しており、各支柱パイプ６の高さを調節することにより、搬送シューター５の上下方向の角度すなわち下り斜面の角度が、雪が滑り落ちるのに適した角度となるように調整される。【選択図】図２
0003117469.tif 000002
【実用新案登録請求の範囲】
【請求項１】
雪氷庫内に雪を搬入する装置であって、
雪氷庫に面して形成された雪投入口と、
前記雪投入口から雪氷庫内に向かって下り斜面を形成するように支持された搬送シューターと
を備え、前記搬送シューターは上下方向の角度が変更可能に支持されていることを特徴とする雪搬入装置。
【請求項２】
前記雪投入口と雪氷庫との間を開閉する開閉扉をさらに備え、
前記搬送シューターは、雪氷庫内に配置されるシューター本体部と、シューター本体部の上端部に上下方向に回動自在に連結された回動シューター部とを有し、
前記回動シューター部を前記シューター本体部に対して屈曲するように回動させた状態で前記開閉扉が閉じられる請求項１に記載の雪搬入装置。
【請求項３】
前記搬送シューターは、前記シューター本体部の下端部に脱着自在に連結される分割シューター部を有する請求項１または２に記載の雪搬入装置。
【請求項４】
前記搬送シューターは、高さ調整可能な複数の支柱パイプにより支持される請求項１〜３のいずれか一項に記載の雪搬入装置。
【考案の詳細な説明】
【技術分野】
【０００１】
この考案は、雪氷庫内に雪を搬入する装置に関する。
【背景技術】
【０００２】
従来から、雪氷庫を利用し、その冷気や冷水によって冷房を行う氷室形式の冷房システムの開発が進められている。
【考案の開示】
【考案が解決しようとする課題】
【０００３】
しかしながら、雪氷庫内に大量の雪を貯蔵するためにトラック等で搬送されてきた雪をショベルカー等の重機を使用して雪氷庫内に搬入しなければならず、この雪の搬入作業に時間と手間を要するという問題点があった。
【０００４】
この考案はこのような問題点を解消するためになされたもので、容易に雪氷庫内に雪を搬入することができる雪搬入装置を提供することを目的とする。
【課題を解決するための手段】
【０００５】
この考案に係る雪搬入装置は、雪氷庫内に雪を搬入する装置であって、雪氷庫に面して形成された雪投入口と、雪投入口から雪氷庫内に向かって下り斜面を形成するように支持された搬送シューターとを備え、搬送シューターは上下方向の角度が変更可能に支持されているものである。
【０００６】
なお、雪投入口と雪氷庫との間を開閉する開閉扉をさらに備え、搬送シューターが、雪氷庫内に配置されるシューター本体部と、シューター本体部の上端部に上下方向に回動自在に連結された回動シューター部とを有し、回動シューター部をシューター本体部に対して屈曲するように回動させた状態で開閉扉が閉じられるように構成することができる。
また、好ましくは、搬送シューターが、シューター本体部の下端部に脱着自在に連結される分割シューター部を有している。
搬送シューターは、高さ調整可能な複数の支柱パイプにより支持することができる。
【考案の効果】
【０００７】
以上説明したように、この考案に係る雪搬入装置によれば、雪氷庫に面して形成された雪投入口から雪を投入するだけで、雪は搬送シューター上を滑り落ちて雪氷庫内に搬入される。従って、ショベルカー等の重機の使用が不要となる。
また、搬送シューターは上下方向の角度が変更可能に支持されているので、搬送シューターの角度を雪が滑り落ちるのに適した値に容易に調整することができる。
【考案を実施するための最良の形態】
【０００８】
以下、この考案の実施の形態を添付図面に基づいて説明する。
図１にこの考案の実施の形態に係る雪搬入装置の構造を示す。冷房を行おうとする建造物１の地下部分に雪氷庫２が形成されると共に、雪氷庫２の側壁面に開口部３が形成され、この開口部３の外側に雪投入口４が形成されている。雪投入口４は、建造物１外部の地上に開口し、雪投入口４から雪氷庫２内に搬送シューター５が延びている。
【０００９】
図２に示されるように、搬送シューター５は、雪氷庫２内に立設された複数の支柱パイプ６により支持されており、雪投入口４から雪氷庫２内に向かって下り斜面を形成している。複数の支柱パイプ６はそれぞれジャッキ式で高さ調整可能な構造を有しており、各支柱パイプ６の高さを調節することにより、搬送シューター５の上下方向の角度すなわち下り斜面の角度が変更し得るように構成されている。
【００１０】
搬送シューター５は、雪投入口４に連結されたシューター本体部７と、シューター本体部７の下端部に互いに直列に連結された複数の分割シューター部８とを有している。複数の分割シューター部８は、それぞれ対応する支柱パイプ６によって支持され、脱着自在にシューター本体部７あるいは他の分割シューター部８に連結されている。
また、雪氷庫２を取り囲む壁面は断熱構造を有しており、建造物１外部の地上に開口する雪投入口４に開閉自在の蓋体９が配設されている。
【００１１】
図３に示されるように、シューター本体部７及び複数の分割シューター部８は、それぞれ上方が開いた樋形状に形成されており、図４に示されるように、雪投入口４から雪氷庫２内に延びるように互いに連結されている。
【００１２】
図５に雪氷庫２を利用した冷房システムの構成を示す。雪氷庫２の底部には、通水パイプ１３により互いに連通した複数の取水ピット１４が形成されている。また、雪氷庫２に隣接して熱交換室１５が区画形成され、この熱交換室１５の底部に冷水ピット１６が形成されている。熱交換室１５に隣接する取水ピット１４には、各取水ピット１４に溜まった融雪水を冷水ピット１６に汲み上げるためのポンプ１７が設置されている。
【００１３】
熱交換室１５内には熱交換機１８が配設され、冷水ピット１６から冷水配管１９が熱交換機１８内を通って雪氷庫２の天井部分にまで延びており、雪氷庫２内に配置された冷水配管１９に互いに間隔を隔てて複数の散水ノズル２０が取り付けられている。また、熱交換室１５内において、冷水ピット１６の融雪水を散水ノズル２０へと送出するためのポンプ２１が冷水配管１９の途中に配設されている。
建造物１の冷房を行おうとする室内には冷房ユニット２２が設置され、各冷房ユニット２２と熱交換室１５内の熱交換機１８とが冷媒配管２３を介して接続されている。
【００１４】
次に、この実施の形態の動作について説明する。まず、冬期間に雪氷庫２への雪の搬入を行う。雪氷庫２内には、シューター本体部７及び複数の分割シューター部８が複数の支柱パイプ６で支持されることにより雪投入口４から雪氷庫２内に向かう下り斜面の搬送シューター５が形成されている。この状態で、トラック等により雪が搬送され、蓋体９を開けて、地上に開口する雪投入口４に雪が投入される。投入された雪は、雪投入口４からシューター本体部７及び分割シューター部８上を滑り落ちて雪氷庫２の底部に搬入される。すなわち、雪投入口４に雪を投入するだけで、ショベルカー等の重機を使用することなく、雪氷庫２への雪の搬入を行うことが可能となる。トラック等により搬送される雪としては、除雪あるいは排雪された雪を利用することができる。
【００１５】
なお、雪が滑り落ちるのに適した角度となるように、搬送シューター５を支持する各支柱パイプ６の高さが調整される。
また、分割シューター部８を適宜シューター本体部７に着脱することにより、雪氷庫２内の雪の搬入箇所を変更することができ、雪氷庫２の奥部にまで雪を貯留させることが可能となる。
このようにして雪の搬入が完了すると、蓋体９が閉じられる。
【００１６】
春あるいは夏期間になると、雪氷庫２内の雪が融解し始め、融雪水が発生して通水パイプ１３により互いに連通された取水ピット１４内に貯留される。そこで、ポンプ１７及び２１が駆動され、融雪水が冷水ピット１６に汲み上げられると共に、冷水ピット１６内の融雪水が冷水配管１９を通って各散水ノズル２０に供給されて雪氷庫２内の雪の上から散布される。
【００１７】
このとき、例えば温度１〜２℃の融雪水が熱交換機１８内を通るため、各冷房ユニット２２に接続された冷媒配管２３内に冷媒を流通させることにより、熱交換機１８内にて融雪水と冷媒との間で熱交換され、冷却された冷媒が各冷房ユニット２２に送られて建造物１の冷房が行われる。
【００１８】
なお、上記の実施の形態においては、搬送シューター５を高さ調整可能な複数の支柱パイプ６で支持したが、図６に示されるように、搬送シューター５を、雪氷庫２の天井スラブ３１から複数のチェーン３２により吊り下げて下り斜面を形成することもできる。各チェーン３２の長さを調節することにより、搬送シューター５の上下方向の角度すなわち下り斜面の角度を変更することが可能となる。各チェーン３２をそれぞれ巻上げドラム等に巻き付けて使用すれば、巻上げドラムを回転させることで搬送シューター５の上下方向の角度の変更が容易となる。
【００１９】
また、雪氷庫２の側壁面に形成された開口部３を開閉するための断熱構造の開閉扉３３を設けると共に、シューター本体部７の上端部に上下方向に回動自在に回動シューター部３４を連結することもできる。開閉扉３３を閉じる際には、回動シューター部３４を図６の破線のように上方へ回動させてシューター本体部７に対し例えば９０度屈曲させる。雪氷庫２への雪の搬入時には、開閉扉３３を開けて回動シューター部３４を下方へ回動させることにより、シューター本体部７と共に雪投入口４から雪氷庫２内に向かう下り斜面を形成し、この状態で、蓋体９を開けて雪投入口４から雪を投入すればよい。このような開閉扉３３と回動シューター部３４を設けることにより、さらに断熱性が向上する。
【００２０】
図７に示されるように、搬送シューター５のシューター本体部７を複数の分岐シューター部７ａ、７ｂに分岐すると共にこれら複数の分岐シューター部７ａ、７ｂの分岐点に移動自在の隔て板３５を備えることもできる。隔て板３５を移動させることによって複数の分岐シューター部７ａ、７ｂのうちのいずれかを選択すれば、雪投入口４から投入された雪が選択された分岐シューター部を介して雪氷庫２に搬入される。このため、雪氷庫２内の広範囲に直接雪を投入することが可能となる。
【図面の簡単な説明】
【００２１】
【図１】この考案の実施の形態に係る雪搬入装置を示す側面図である。
【図２】実施の形態に係る雪搬入装置を示す拡大側面図である。
【図３】実施の形態で用いられたシューター本体部及び分割シューター部を示す正面図である。
【図４】実施の形態に係る雪搬入装置を示す平面図である。
【図５】雪氷庫を利用した冷房システムの構成を示す図である。
【図６】他の実施の形態に係る雪搬入装置を示す拡大側面図である。
【図７】さらに他の実施の形態に係る雪搬入装置を示す平面図である。
【符号の説明】
【００２２】
１  建造物、２  雪氷庫、３  開口部、４  雪投入口、５  搬送シューター、６  支柱パイプ、７  シューター本体部、８  分割シューター部、９  蓋体、１３  通水パイプ、１４  取水ピット、１５  熱交換室、１６  冷水ピット、１７，２１  ポンプ、１８  熱交換機、１９  冷水配管、２０  散水ノズル、２２  冷房ユニット、２３  冷媒配管、３１  天井スラブ、３２  チェーン、３３  開閉扉、３４  回動シューター部、３５  隔て板、７ａ，７ｂ  分岐シューター部。
【図１】
0003117469.tif 000003
【図２】
0003117469.tif 000004
【図３】
0003117469.tif 000005
【図４】
0003117469.tif 000006
【図５】
0003117469.tif 000007
【図６】
0003117469.tif 000008
【図７】
0003117469.tif 000009